(57)【要約】      （修正有）【課題】梱包作業を容易に行うことができ、梱包材の構成を簡素化した構成の梱包材を提供する。【解決手段】板状に形成され、第１本体折曲部２１及び第２本体折曲部２２と、第１本体折曲部２１及び第２本体折曲部２２の両端部近傍の側縁に設けられた第１乃至第４の突張部３１、３２、３３、３４を含む本体１０を備え、第１本体折曲部２１及び第２本体折曲部２２は、中間部が両端部を結ぶ仮想の直線より内側に位置するように湾曲して伸延するよう構成する。【選択図】図１
0003194118.tif 000002
【実用新案登録請求の範囲】
【請求項１】
板状に形成され、１以上の本体折曲部と、本体折曲部の両端部近傍の側縁に設けられた複数の突張部とを含む本体を備え、
前記本体折曲部は、中間部が両端部を結ぶ仮想の直線より内側に位置するように湾曲して伸延している、梱包材。
【請求項２】
前記本体は、互いに隣り合って位置する第１及び第２の角部、並びに互いに隣り合って位置する第３及び第４の角部を含み、
前記複数の突張部は、前記第１乃至第４の角部にそれぞれ形成された第１乃至第４の突張部であり、
前記１以上の本体折曲部は、第１突張部から第２突張部に向かって伸延する第１本体折曲部、及び第３突張部から第４突張部に向かって伸延する第２本体折曲部を含む、請求項１に記載の梱包材。
【請求項３】
第１角部と第２角部との間に位置する本体の側縁は、第１角部と第２角部とを結ぶ仮想の直線よりも内側に位置する部分を含み、
第３角部と第４角部との間に位置する本体の側縁は、第３角部と第４角部とを結ぶ仮想の直線よりも内側に位置する部分を含む、請求項２に記載の梱包材。
【請求項４】
前記１以上の本体折曲部は、第２突張部から第３突張部に向かって伸延する第３本体折曲部、及び第４突張部から第１突張部に向かって伸延する第４本体折曲部を更に含む、請求項２又は３に記載の梱包材。
【請求項５】
前記突張部に連なり、前記本体に対して揺動可能に構成されたフラップを備える、請求項１乃至４の何れかに記載の梱包材。
【請求項６】
前記本体は、側縁が直交する角部を含み、
前記フラップは、直交する側縁のうち一方の側縁に連なる第１フラップ部と、他方の側縁に連なる第２フラップ部とを含む、請求項５に記載の梱包材。
【請求項７】
前記第１フラップ部の前記角部側の側縁と、前記第２フラップ部の前記角部側の側縁とが成す角度は、９０度未満である、請求項６に記載の梱包材。
【請求項８】
前記梱包材は、段ボールで構成されている、請求項１乃至７の何れかに記載の梱包材。
【考案の詳細な説明】
【技術分野】
【０００１】
本考案は、物品の搬送に用いる梱包材に関する。
【背景技術】
【０００２】
従来から外箱に入れられ被梱包物を保護する梱包材が知られている（例えば特許文献１参照）。
【０００３】
この梱包材は、中央部に窓が設けられた矩形状の枠体と、窓を覆う弾性フィルムと、枠体に直角方向となるように枠体の４辺に設けられている脚部とを有する。枠体の４辺は、外箱の開口部をなす４辺と略同じ大きさに形成されている。そして、梱包材を外箱に入れることによって、被梱包物の位置を固定し、外箱の衝撃から保護することができる。
【先行技術文献】
【特許文献】
【０００４】
【特許文献１】特開２００６−４４６７１号公報
【考案の概要】
【考案が解決しようとする課題】
【０００５】
しかし、特許文献１に記載の梱包材は、枠体及び脚部と異なる材料で構成された弾性フィルムを備え、構成が複雑であり、製造に不利であった。
【課題を解決するための手段】
【０００６】
上記課題を解決するため、本考案のある態様に係る梱包材は、板状に形成され、１以上の本体折曲部と、本体折曲部の両端部近傍の側縁に設けられた複数の突張部とを含む本体を備え、前記本体折曲部は、中間部が両端部を結ぶ仮想の直線より内側に位置するように湾曲して伸延するよう構成されている。
【０００７】
この構成によれば、梱包作業を容易に行うことができる。また、梱包材の構成を簡素化することができ、製造に有利、且つ製造コストも安価となる。
【０００８】
前記本体は、互いに隣り合って位置する第１及び第２の角部、並びに互いに隣り合って位置する第３及び第４の角部を含み、前記複数の突張部は、前記第１乃至第４の角部にそれぞれ形成された第１乃至第４の突張部であり、前記１以上の本体折曲部は、第１突張部から第２突張部に向かって伸延する第１本体折曲部、及び第３突張部から第４突張部に向かって伸延する第２本体折曲部を含んでいてもよい。
【０００９】
この構成によれば、第１本体折曲部及び第２本体折曲部を折り曲げることによって、一般に普及している直方体形状の段ボール箱の中に挿入することができ、梱包作業を容易に行うことができる。
【００１０】
第１角部と第２角部との間に位置する梱包材の周縁は、第１角部と第２角部とを結ぶ仮想の直線よりも内側に位置し、第３角部と第４角部との間に位置する梱包材の周縁は、第３角部と第４角部とを結ぶ仮想の直線よりも内側に位置していてもよい。
【００１１】
この構成によれば、外装箱に取り付けられた状態の梱包材を外装箱から容易に取り外すことができる。
【００１２】
前記１以上の折り曲げ部は、第２突張部から第３突張部に向かって伸延する第３折り曲げ部、及び第４突張部から第１突張部に向かって伸延する第４折り曲げ部を更に含んでいてもよい。
【００１３】
この構成によれば、梱包材を容易に湾曲させることができる。
【００１４】
前記梱包材は、段ボールで構成されていてもよい。
【００１５】
この構成によれば、梱包材の構成を更に簡素化することができ、製造に更に有利、且つ製造コストも更に安価となる。
【考案の効果】
【００１６】
本考案は、梱包材の構成を簡素化することができるという効果を奏する。
【図面の簡単な説明】
【００１７】
【図１】本考案の実施の形態１に係る梱包材の構成例を示す平面図である。
【図２】図１の梱包材の使用例を示す図である。
【図３】図１の梱包材の使用例を示す図である。
【図４】図１の梱包材の使用例を示す図である。
【図５】図１の梱包材の使用例を示す図である。
【図６】本考案の実施の形態２に係る梱包材の構成例を示す平面図である。
【図７】本考案の実施の形態３に係る梱包材の構成例を示す平面図である。
【図８】図７の梱包材の構成例を示す要部拡大図である。
【図９】図７の梱包材の使用例を示す図である。
【考案を実施するための形態】
【００１８】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１９】
（実施の形態１）
図１は、本考案の実施の形態１に係る梱包材１００の構成例を示す平面図である。
【００２０】
梱包材１００は、外装箱１１０（図５参照）に挿入して用いられ、外装箱１１０に収容された被梱包物Ａ（図５参照）を外部の衝撃から保護するものである。
【００２１】
梱包材１００は、段ボールによって構成され、板状に形成されている。しかし、これに限られるものではなく、これに代えて、例えばボール紙等の厚紙で構成されていてもよい。そして、図１に示すように、本実施の形態において、梱包材１００は、全体が本体１０を構成している。本体１０は、長方形に形成され、本体１０の一対の短辺のうち一方の辺を構成する側縁８と、本体１０の一対の長辺のうち一方の辺を構成する側縁５とが交差する部分には第１角部１５が形成されている。また、側縁５と、本体１０の一対の短辺のうち他方の辺を構成する側縁７とが交差する部分には第２角部１６が形成されている。さらに、側縁７と、本体１０の一対の長辺のうち他方の辺を構成する側縁６とが交差する部分には第３角部１７が形成されている。また、側縁６と側縁８とが交差する部分には第４角部１８が形成されている。したがって、第１角部１５及び第２角部１６は、隣り合って位置している。また、第３角部１７及び第４角部１８は、隣り合って位置している。なお、以下では、側縁同士が交差する部分のみならず、その近傍の部分も含めて角部という。
【００２２】
なお、以下では説明の便宜上、本体１０が折り曲げられていない平面的な形態（詳細は後述）において、本体１０の長辺が延在する方向を長さ方向といい、本体１０の短辺が延在する方向を幅方向といい、長さ方向及び幅方向に直交する方向、すなわち梱包材１００の面外方向を厚み方向ということがある。
【００２３】
そして、本体１０は、長さ方向の寸法が外装箱１１０の開口部１１１（図５参照）の長さ方向の寸法よりも大きく形成され、幅方向の寸法が外装箱１１０の開口部１１１（図５参照）の幅方向の寸法よりも大きく形成されている。
【００２４】
そして、本体１０は、１以上の本体折曲部と、本体折曲部の両端部近傍の側縁に設けられた複数の突張部とを含む。
【００２５】
本実施の形態において、第１乃至第４の本体折曲部２１、２２、２３、２４が１以上の本体折曲部を構成している。これら第１乃至第４の本体折曲部は本体１０の表面１１に形成された細い溝である。なお、第１乃至第４の本体折曲部は細い溝に限られるものではなく、これに代えて、例えば表面１１に形成された切り込みであってもよい。また、第１乃至第４の本体折曲部が形成される面は本体１０の表面１１に限られるものではなく、これに代えて、本体１０の裏面１２に形成されていてもよい。
【００２６】
第１本体折曲部２１は、第１角部１５から第２角部１６まで伸延している。そして、中間部２１ａが端部２１ｂ及び端部２１ｃ（両端部）を結ぶ仮想の直線Ｌ１より本体１０の内側に位置するように湾曲して伸延している。すなわち、第１本体折曲部２１は、本体１０の内側に湾曲して伸延している。
【００２７】
第２本体折曲部２２は、第３角部１７から第４角部１８まで伸延している。そして、中間部２２ａが端部２２ｂ及び端部２２ｃ（両端部）を結ぶ仮想の直線Ｌ２より本体１０の内側に位置するように湾曲して伸延している。すなわち、第２本体折曲部２２は、本体１０の内側に湾曲して伸延している。
【００２８】
なお、梱包材１００の段ボールの中芯は波状に形成され、第１本体折曲部２１及び第２本体折曲部２２と交差する方向、すなわち幅方向に延在するように構成されている。しかし、これに限定されない。
【００２９】
第３本体折曲部２３は、第２角部１６から第３角部１７まで伸延している。そして、中間部２３ａが端部２３ｂ及び端部２３ｃ（両端部）を結ぶ仮想の直線Ｌ３より本体１０の内側に位置するように湾曲して伸延している。すなわち、第３本体折曲部２３は、本体１０の内側に湾曲して伸延している。なお、第３本体折曲部２３の端部２３ｂは、第１本体折曲部２１の端部２１ｃと重なり、一つの溝を形成している。また、第３本体折曲部２３の端部２３ｃは、第２本体折曲部２２の端部２２ｂと重なり、一つの溝を形成している。
【００３０】
第４本体折曲部２４は、第４角部１８から第１角部１５まで伸延している。そして、中間部２４ａが端部２４ｂ及び端部２４ｃ（両端部）を結ぶ仮想の直線Ｌ４より本体１０の内側に位置するように湾曲して伸延している。すなわち、第４本体折曲部２４は、本体１０の内側に湾曲して伸延している。なお、第４本体折曲部２４の端部２４ｂは、第２本体折曲部２２の端部２２ｃと重なり、一つの溝を形成している。また、第４本体折曲部２４の端部２４ｃは、第１本体折曲部２１の端部２１ｂと重なり、一つの溝を形成している。
【００３１】
このように、各本体折曲部の端部は隣接する本体折曲部の端部と重なるように形成されているが、これに限られるものでない。
【００３２】
そして、本実施の形態において、第１乃至第４の突張部３１、３２、３３、３４が複数の突張部を構成している。これら第１乃至第４の突張部３１、３２、３３、３４は、使用時において外装箱１１０の内面に当接する部分である。
【００３３】
第１突張部３１は、第１角部１５、側縁５の第１角部１５側の端部、及び側縁８の第１角部１５側の端部を含む本体１０の側縁部分である。第２突張部３２は、第２角部１６、側縁７の第２角部１６側の端部、及び側縁５の第２角部１６側の端部を含む本体１０の側縁部分である。第３突張部３３は、第３角部１７、側縁６の第３角部１７側の端部、及び側縁７の第３角部１７側の端部を含む本体１０の側縁部分である。第４突張部３４は、第４角部１８、側縁８の第４角部１８側の端部、及び側縁６の第４角部１８側の端部を含む本体１０の側縁部分である。
【００３４】
そして、側縁５、６、７、８は、それぞれ中間部が内側に湾曲して形成されている。すなわち、側縁５は、第１角部１５と第２角部１６とを結ぶ仮想の直線Ｌ１よりも内側に位置する部分を含む。この部分が第１凹部４１を構成する。また、側縁６は第２角部１６と第４角部１８とを結ぶ仮想の直線Ｌ２よりも内側に位置する部分を含む。この部分が第２凹部４２を構成する。更に、側縁７は、第２角部１６と第３角部１７とを結ぶ仮想の直線Ｌ３よりも内側に位置する部分を含む。この部分が第３凹部４３を構成する。また、側縁８は、第４角部１８と第１角部１５とを結ぶ仮想の直線Ｌ４よりも内側に位置する部分を含む。この部分が第４凹部４４を構成する。
【００３５】
また、本体１０の裏面１２（図３、４参照）には、押さえ部１３（図３、４参照）が設けられている。押さえ部１３は、厚み方向から見て本体１０の第１乃至第４の本体折曲部よりも内側の領域であり、後述する被梱包物Ａと接触する部分である。
【００３６】
［使用例］
次に、梱包材１００の使用例を説明する。
【００３７】
図２乃至図５は、梱包材１００の使用例を示す図である。
【００３８】
梱包材１００を被梱包物Ａが収容された外装箱１１０に取り付けるときは、図２に示すように、まず、作業者は第１凹部４１及び第２凹部４２を両手で把持し、側縁５及び側縁６を近づけるように力を加える。これによって、梱包材１００の本体１０は、第１本体折曲部２１及び第２本体折曲部２２に沿って折り曲げられる。第１本体折曲部２１及び第２本体折曲部２２は、上述の通り湾曲して延在しているので、本体１０を第１本体折曲部２１及び第２本体折曲部２２に沿って折り曲げることによって、本体１０が湾曲し、第１乃至第４の角部１５、１６、１７、１８は内側斜め上方に向かって、すなわち裏面１２から表面１１に向かう方向であって、且つ本体１０の内側に向かう方向に移動する。
【００３９】
すなわち、図３に示すように、梱包材１００を幅方向から見ると、本体１０を第１本体折曲部２１及び第２本体折曲部２２に沿って折り曲げることによって、第１角部１５及び第２角部１６が互いに近づくように、また、第３角部１７及び第４角部１８が互いに近づくように本体１０が湾曲し、本体１０の長さ方向の寸法が短くなるように形成されている。この折り曲げられた状態における本体１０の長さ方向の寸法は、梱包材１００の開口部１１１（図５参照）の長さ方向の寸法よりも小さくなるように構成されている。なお、本実施の形態において、上述の通り本体１０の中芯は幅方向に延在するように構成されているので、本体１０は腰折れすることなく容易に湾曲するようになっている。
【００４０】
そして、図４に示すように、第１乃至第４の角部１５、１６、１７、１８は内側斜め上方に向かって移動するので、本体１０を長さ方向から見た場合においても、第１角部１５及び第４角部１８が互いに近づくと共に、第２角部１６及び第３角部１７が互いに近づくように本体１０が湾曲し、本体１０の幅方向の寸法が短くなるように形成されている。なお、本体１０が第１本体折曲部２１及び第２本体折曲部２２に沿って折り曲げられることによって、図４に示すように、第３本体折曲部２３及び第４本体折曲部２４が第１本体折曲部２１及び第２本体折曲部２２の折り曲げ方向と同方向に折れ曲がり、容易に湾曲するようになっている。そして、折り曲げられた状態における本体１０の幅方向の寸法は、梱包材１００の開口部１１１（図５参照）の幅方向の寸法よりも短くなるように構成されている。
【００４１】
したがって、本体１０は、折り曲げられる前の状態において外装箱１１０の開口部１１１よりも大きくなるように形成されているが、折り曲げられることによって、外装箱１１０の開口部１１１よりも小さくなり、本体１０を開口部１１１に挿入することができるように構成されている。
【００４２】
なお、作業者は、一方の手で第１角部１５を摘むと共に、他方の手で第３角部１７を摘み、これによって、本体１０を第１本体折曲部２１及び第２本体折曲部２２に沿って折り曲げてもよい。また、一方の手で第２角部１６を摘むと共に、他方の手で第４角部１８を摘み、これによって、本体１０を第１本体折曲部２１及び第２本体折曲部２２に沿って折り曲げてもよい。
【００４３】
また、折り曲げられ、湾曲している本体１０には、元の平面的な形態に復元しようとする力が働くように構成されている。
【００４４】
次に、図５に示すように、作業者は、梱包材１００を外装箱１１０の開口部１１１から外装箱１１０の内部に挿入し、本体１０の裏面１２の押さえ部１３が被梱包物Ａの上面に接触するように梱包材１００を被梱包物Ａにあてがう。このとき、第１乃至第４の角部１５、１６、１７、１８が位置する仮想の延在面と、開口部１１１の延在面とが大略平行となるように梱包材１００を位置させる。
【００４５】
次に、作業者は、梱包材１００から手を離す。これによって、湾曲している梱包材１００は、元の姿勢に復元しようとして開き、第１乃至第４の角部１５、１６、１７、１８は外側に向かって移動する。そして、梱包材１００は、開いて伸びきる前に第１乃至第４の突張部３１、３２、３３、３４が外装箱１１０の４つの角部１１２及びその近傍にそれぞれ当接する。そして、第１乃至第４の突張部３１、３２、３３、３４は、対応する外装箱１１０の角部１１２及びその近傍をそれぞれ付勢する。したがって、梱包材１００は、外装箱１１０の内部において突っ張った状態で固定され、被梱包物Ａの移動を規制することができる。このようにして、梱包材１００を外装箱１１０に取り付けることができる。
【００４６】
次に、作業者は、梱包材１００の蓋を閉める。この状態においては、梱包材１００は、外装箱１１０の内部において伸びきらずに折り曲げられた状態で固定されているので、第１乃至第４の角部１５、１６、１７、１８は押さえ部１３よりも高い位置に位置し、外装箱１１０の蓋と押さえ部１３とが離間し、これらの間に空間が形成されることになる。よって、外装箱１１０が衝撃を受けた際に被梱包物Ａが受ける衝撃を緩和することができる。
【００４７】
そして、被梱包物Ａを外装箱１１０から取り出すときは、まず、外装箱１１０の蓋を開け、外装箱１１０に取り付けられている梱包材１００の第１凹部４１と外装箱１１０の内面との間隙及び第２凹部４２と外装箱１１０の内面との間隙に手を挿し入れ、外装箱１１０の側縁５及び側縁６を掴み、本体１０を第１本体折曲部２１及び第２本体折曲部２２に沿って折り曲げる。なお、一方の手の指を第１凹部４１と外装箱１１０の内面との間隙及び第４凹部４４と外装箱１１０の内面との間隙に挿し入れて第１角部１５を摘むと共に、他方の手の指を第２凹部４２と外装箱１１０の内面との間隙及び第３凹部４３と外装箱１１０の内面との間隙に挿し入れて第３角部１７を摘み、これによって、本体１０を第１本体折曲部２１及び第２本体折曲部２２に沿って折り曲げてもよい。また、一方の手の指を第１凹部４１と外装箱１１０の内面との間隙及び第３凹部４３と外装箱１１０の内面との間隙に挿し入れて第２角部１６を摘むと共に、他方の手の指を第２凹部４２と外装箱１１０の内面との間隙及び第４凹部４４と外装箱１１０の内面との間隙に挿し入れて第４角部１８を摘み、これによって、本体１０を第１本体折曲部２１及び第２本体折曲部２２に沿って折り曲げてもよい。
【００４８】
次に、梱包材１００を外装箱１１０から取り出す。これによって、被梱包物Ａが露出し、被梱包物Ａを外装箱１１０から取り出すことができる。
【００４９】
このように、第１乃至第４の凹部４１、４２、４３、４４が形成されているので、これら凹部が形成されている部分において梱包材１００の側縁と外装箱１１０の内面とが離間する。したがって、作業者はこれらの部分に形成されている間隙に手を挿し入れて容易に梱包材１００の側縁を把持することができ、梱包材１００を外装箱１１０から容易に取り外すことができる。
【００５０】
以上に説明したように、本考案の梱包材１００は、使用者が第１本体折曲部２１及び第２本体折曲部２２を把持して引き寄せることによって折り曲げ、外装箱１１０に挿入し、被梱包物Ａにあてがった上で手を離すことによって、梱包材１００が外装箱１１０の内面に突っ張った状態で梱包材１００を外装箱１１０に固定することができる。したがって、外部の衝撃から被梱包物を保護するための梱包作業を容易に行うことができる。
【００５１】
そして、梱包材１００は、例えば段ボール等の単一の材料によって構成することができるので、梱包材の構成を簡素化することができ、製造に有利、且つ製造コストも安価となる。
【００５２】
なお、上記使用例においては、被梱包物Ａの上面と外装箱１１０の蓋との間に梱包材１００が介在するように梱包材１００を外装箱１１０に挿入したが、これに限られるものではない。例えば、被梱包物Ａの底面と外装箱１１０の底との間に梱包材１００の裏面１２と被梱包物の底面とが当接した状態で位置するように、被梱包物Ａを外装箱１１０に収納する前に梱包材１００を外装箱１１０に挿入してもよい。
【００５３】
（実施の形態２）
図６は、本実施の形態２に係る梱包材２００を示す平面図である。
【００５４】
上記実施の形態１において、梱包材１００は、長方形に形成され、第１乃至第４の本体折曲部２１、２２、２３、２４を備えるものを例示したが、本実施の形態において、梱包材２００は、三角形に形成され、第１乃至第３の角部２１５、２１６、２１７を含む。そして、第１角部２１５から第２角部２１６まで伸延する第１本体折曲部２２１を備える。そして、第１本体折曲部２２１を折り曲げることによって、第１角部２１５及び第２角部が互いに接近すると共に、第３角部に向かって移動して接近するように構成されている。
【００５５】
梱包材２００は、第１本体折曲部２２１を折り曲げることによって、例えば三角柱状の筒状体に形成された包装用箱の梱包材として用いることができる。
【００５６】
（実施の形態３）
図７は、本実施の形態３に係る梱包材３００を示す平面図である。
【００５７】
上記実施の形態１において、梱包材１００は、本体１０を備えているものを例示したが、本実施の形態において、梱包材３００は、本体１０、及び第１乃至第４のフラップ３５１、３５２、３５３、３５４を備える。第１フラップ３５１は第１突張部３１に連なるように形成され、第２フラップ３５２は第２突張部３２に連なるように形成され、第３フラップ３５３は第３突張部３３に連なるように形成され、第４フラップ３５４は第４突張部３４に連なるように形成されている。これら第１乃至第４のフラップ３５１、３５２、３５３、３５４は、本体１０と一体的に形成されており、本体１０との境界には、表面１１に細い溝が形成されている。この溝が梱包材１００を本体１０と４つのフラップとに区画している。
【００５８】
図８は、梱包材３００の第１フラップ３５１を示す要部拡大図である。
【００５９】
図８に示すように、第１フラップ３５１と第１突張部３１とが連なる部分にはフラップ折曲部３６１が形成されている。フラップ折曲部３６１は、表面１１に形成された細い溝である。したがって、第１フラップ３５１は、本体１０に対して揺動可能に構成されている。
【００６０】
第１フラップ３５１は、第１フラップ部３６２と、第２フラップ部３６３とを含む。第１フラップ部３６２は、第１角部１５から側縁５に沿って延在するよう設けられ、第２フラップ部３６３は、第１角部１５から側縁８に沿って延在するよう設けられている。そして、第１フラップ部３６２の第１角部１５側の端縁３６２ａ、及び第２フラップ部３６３の第１角部１５側の端縁３６３ａは、それぞれ第１角部１５から放射状に延びている。そして、これらの端縁が成す角度θ１は９０度未満となるように形成されている。また、側縁５と第１フラップ部３６２の端縁３６２ａとが成す角度θ２、及び側縁８と第２フラップ部３６３の端縁３６３ａとが成す角度θ３は、鈍角、すなわち９０度よりも大きくなるように形成されている。
【００６１】
そして、第１フラップ部３６２の端縁３６２ａ及び第２フラップ部３６３の端縁３６３ａを接続部３６４が接続するように構成されている。接続部３６４は、第１フラップ部３６２及び第２フラップ部３６３と一体的に形成されており、接続部３６４と第１フラップ部３６２との境界、及び接続部３６４と第２フラップ部３６３との境界には、表面に細い溝が形成されている。すなわち、第１フラップ部３６２の端縁３６２ａ、及び第２フラップ部３６３の端縁３６３ａ上に細い溝が形成されている。これらの溝が接続部３６４と第１フラップ部３６２、及び接続部３６４と第２フラップ部３６３とを区画している。
【００６２】
第２フラップ３５２、第３フラップ３５３、及び第４フラップ３５４は、第１フラップ３５１と同様に構成されているので、その詳細な説明を省略する。
【００６３】
そして、第１本体折曲部２１及び第２本体折曲部２２を折り曲げた状態において、本体１０の長さ方向の寸法及び幅方向の寸法は、それぞれ梱包材３００の開口部１１１の長さ方向及び幅方向の寸法よりも小さくなるように構成されると共に、第１フラップ３５１、第２フラップ３５２、第３フラップ３５３、及び第４フラップ３５４を含めた梱包材３００全体の本体１０の長さ方向の寸法及び幅方向の寸法は、それぞれ外装箱１１０の開口部１１１の長さ方向及び幅方向の寸法よりも大きくなるように構成されている。
【００６４】
［使用例］
図９は、梱包材３００の使用例を示す図である。
【００６５】
梱包材３００を被梱包物Ａが収容された外装箱１１０に取り付けるときは、第１本体折曲部２１及び第２本体折曲部２２を折り曲げ、外装箱１１０の開口部１１１を介して外装箱１１０の内部に挿入する。すると、第１フラップ３５１、第２フラップ３５２、第３フラップ３５３、及び第４フラップ３５４を含めた梱包材３００全体の長さ方向及び幅方向の寸法は、それぞれ外装箱１１０の開口部１１１の長さ方向及び幅方向の寸法よりも大きくなるように構成されているので、梱包材３００の第１フラップ３５１、第２フラップ３５２、第３フラップ３５３、及び第４フラップ３５４は、開口部１１１に当たる。そして、ここから梱包材３００を外装箱１１０の内部に押し込むと、第１乃至第４ののフラップ３５１、３５２、３５３、３５４は上方を向くように折れ曲がり、それらの裏面が外側に向いて、外装箱１１０の内面に当接する。したがって、本体１０の第１乃至第４の突張部３１、３２、３３、３４と外装箱１１０とが接触する場合と比較して、梱包材３００と外装箱１１０との接触面積を大きくすることができ、梱包材３００を外装箱１１０により確実に固定することができる。これによって、輸送中の振動等によって、梱包材３００の位置がずれることを効果的に防止することができる。
【００６６】
また、第１乃至第４のフラップが上を向くように折れ曲がると、各フラップの第１フラップ部３６２の端縁３６２ａ、及び第２フラップ部３６３の端縁３６３ａは、これらが成す角度を小さくするように接近し、接続部３６４は押しつぶされる。そして、第１フラップ部３６２の第１角部１５側の端縁３６２ａ、及び第２フラップ部３６３の第１角部１５側の端縁３６３ａが成す角度は９０度未満となるように形成されているので、厚み方向から見て、第１フラップ部３６２の端縁３６２ａの外側の端、及び第２フラップ部３６３の端縁３６３ａの外側の端は、第１乃至第４の角部１５、１６、１７、１８の外側に位置するように突出する。これらの端部は、梱包材３００が外装箱１１０に挿入されることによって、対応する外装箱１１０の角部に形成されている溝１１３に挿し込まれる。したがって、梱包材１００を外装箱１１０に更に確実に固定することができる。
【００６７】
＜変形例＞
上記実施の形態においては、押さえ部１３と外装箱１１０に収容された被梱包物Ａが直接接触するように構成されているがこれに限られるこれに限られるものではない。押さえ部１３に滑り止めゴムを設け、押さえ部１３は滑り止めゴムを介して被梱包物Ａを押さえるように構成してもよい。
【００６８】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００６９】
本件考案は、物品の搬送に用いる物品に適用することができる。
【符号の説明】
【００７０】
Ａ  被梱包物
Ｌ１  仮想の直線
Ｌ２  仮想の直線
Ｌ３  仮想の直線
Ｌ４  仮想の直線
５  側縁
６  側縁
７  側縁
８  側縁
１０  本体
１１  （本体の）表面
１２  （本体の）裏面
１３  押さえ部
１５  第１角部
１６  第２角部
１７  第３角部
１８  第４角部
２１  第１本体折曲部
２１ａ  （第１本体折曲部の）中間部
２１ｂ  （第１本体折曲部の）端部
２１ｃ  （第１本体折曲部の）端部
２２  第２本体折曲部
２２ａ  （第２本体折曲部の）中間部
２２ｂ  （第２本体折曲部の）端部
２２ｃ  （第２本体折曲部の）端部
２３  第３本体折曲部
２３ａ  （第３本体折曲部の）中間部
２３ｂ  （第３本体折曲部の）端部
２３ｃ  （第３本体折曲部の）端部
２４  第４本体折曲部
２４ａ  （第４本体折曲部の）中間部
２４ｂ  （第４本体折曲部の）端部
２４ｃ  （第４本体折曲部の）端部
３１  第１突張部
３２  第２突張部
３３  第３突張部
３４  第４突張部
４１  第１凹部
４２  第２凹部
４３  第３凹部
４４  第４凹部
１００  梱包材
１１０  外装箱
１１１  開口部
１１２  角部
【図１】
0003194118.tif 000003
【図２】
0003194118.tif 000004
【図３】
0003194118.tif 000005
【図４】
0003194118.tif 000006
【図５】
0003194118.tif 000007
【図６】
0003194118.tif 000008
【図７】
0003194118.tif 000009
【図８】
0003194118.tif 000010
【図９】
0003194118.tif 000011